【手続補正書】
【提出日】平成19年3月26日(2007.3.26)
【手続補正１】
【補正対象書類名】明細書
【補正対象項目名】特許請求の範囲
【補正方法】変更
【補正の内容】
【特許請求の範囲】
【請求項１】
入力した画像信号に対して画像処理を実行する画像処理手段と、前記画像処理手段により処理された画像信号に基づいて転写材に画像を形成する画像形成手段とを備える画像形成装置であって、
前記画像形成手段を用いて像担持体或いは転写材担持体上に位置検知用画像を形成する手段と、
前記像担持体或いは転写材担持体上に形成された第１の色の位置検知用画像と第２の色の位置検知用画像とのずれ量を色ずれとして検知する位置検知手段と、
高品位な画像を形成すべく、前記ずれ量が所定値よりも小さい場合に前記画像処理手段により実行される画像処理を第１画像処理とし、前記ずれ量が前記所定値よりも大きい場合に前記画像処理手段により実行される画像処理を、前記第１画像処理に比べてずれ量の大きさが前記画像形成手段により形成される画像の劣化を助長しない第２画像処理に変更する変更手段と、
を有することを特徴とする画像形成装置。
【請求項２】
前記変更手段は、前記画像処理手段による中間調処理のスクリーン線数を変更することを特徴とする請求項１に記載の画像形成装置。
【請求項３】
前記変更手段は、前記画像処理手段による中間調処理のスクリーン角を変更することを特徴とする請求項１に記載の画像形成装置。
【請求項４】
前記変更手段は、前記画像処理手段による中間調処理のドット成長方向を変更することを特徴とする請求項１に記載の画像形成装置。
【請求項５】
前記画像処理手段は、入力した画像信号に対してディザマトリクスを用いて画像処理を実行することを特徴とする請求項１乃至４のいずれか１項に記載の画像形成装置。
【請求項６】
前記画像処理手段は、入力した画像信号に対してＰＷＭにより画像処理を実行することを特徴とする請求項１乃至４のいずれか１項に記載の画像形成装置。
【請求項７】
前記像担持体或いは転写材担持体は、それぞれ異なる色に対応する画像を担持し、前記位置検知用画像は前記像担持体或いは転写材担持体の各色に対応する担持体毎に形成されることを特徴とする請求項１乃至６のいずれか１項に記載の画像形成装置。
【請求項８】
前記像担持体或いは転写材担持体は、それぞれ異なる色に対応する画像を担持し、前記変更手段は、前記像担持体或いは転写材担持体の各色に対応する担持体におけるずれ量に応じて、前記画像処理手段で使用するディザマトリクスを、各色毎に選択することを特徴とする請求項５に記載の画像形成装置。
【請求項９】
前記位置検知手段により検知された前記位置検知用画像の位置に応じて、前記画像形成手段による画像形成位置を補正する位置補正手段を更に有することを特徴とする請求項１に記載の画像形成装置。
【請求項１０】
入力した画像信号に対して画像処理を実行する画像処理手段と、前記画像処理手段により処理された画像信号に基づいて転写材に画像を形成する画像形成手段とを備える画像形成装置であって、
前記画像形成手段を用いて像担持体或いは転写材担持体上に位置検知用画像を形成する手段と、
前記像担持体或いは転写材担持体上に形成された第１の色の位置検知用画像と第２の色の位置検知用画像とのずれ量を色ずれとして検知する位置検知手段と、
前記位置検知手段による検知結果に応じて、前記画像処理手段により実行される画像処理を変更する変更手段と、
を有することを特徴とする画像形成装置。
【請求項１１】
入力した画像信号に対して画像処理を実行する画像処理手段と、前記画像処理手段により処理された画像信号に基づいて転写材に画像を形成する画像形成手段とを備える画像形成装置の画像形成方法であって、
前記画像形成手段を用いて像担持体或いは転写材担持体上に位置検知用画像を形成する画像処理工程と、
前記像担持体或いは転写材担持体上に形成された第１の色の位置検知用画像と第２の色の位置検知用画像とのずれ量を色ずれとして検知する位置検知工程と、
高品位な画像を形成すべく、前記ずれ量が所定値よりも小さい場合に前記画像処理手段により実行される画像処理を第１画像処理とし、前記ずれ量が前記所定値よりも大きい場合に前記画像処理手段により実行される画像処理を、前記第１画像処理に比べてずれ量の大きさが前記画像形成手段により形成される画像の劣化を助長しない第２画像処理に変更する変更工程と、
を有することを特徴とする画像形成方法。
【請求項１２】
前記変更工程では、前記画像処理工程での中間調処理のスクリーン線数を変更することを特徴とする請求項１１に記載の画像形成方法。
【請求項１３】
前記変更工程では、前記画像処理工程での中間調処理のスクリーン角を変更することを特徴とする請求項１１に記載の画像形成方法。
【請求項１４】
前記変更工程では、前記画像処理工程での中間調処理のドット成長方向を変更することを特徴とする請求項１１に記載の画像形成方法。
【請求項１５】
前記画像処理工程では、入力した画像信号に対してディザマトリクスを用いて画像処理を実行することを特徴とする請求項１１乃至１４のいずれか１項に記載の画像形成方法。
【請求項１６】
前記画像処理工程では、入力した画像信号に対してＰＷＭにより画像処理を実行することを特徴とする請求項１１乃至１４のいずれか１項に記載の画像形成方法。
【請求項１７】
前記像担持体或いは転写材担持体は、それぞれ異なる色に対応する画像を担持し、前記位置検知用画像は前記像担持体或いは転写材担持体の各色に対応する担持体毎に形成されることを特徴とする請求項１１乃至１６のいずれか１項に記載の画像形成方法。
【請求項１８】
前記像担持体或いは転写材担持体は、それぞれ異なる色に対応する画像を担持し、前記変更工程では、前記像担持体或いは転写材担持体の各色に対応する担持体におけるずれ量に応じて、前記画像処理工程で使用するディザマトリクスを各色毎に選択することを特徴とする請求項１５に記載の画像形成方法。
【請求項１９】
前記位置検知工程で検知された前記位置検知用画像の位置に応じて、前記画像形成工程による画像形成位置を補正する位置補正工程を更に有することを特徴とする請求項１１に記載の画像形成方法。
【請求項２０】
入力した画像信号に対して画像処理を実行する画像処理手段と、前記画像処理手段により処理された画像信号に基づいて転写材に画像を形成する画像形成手段とを備える画像形成装置の画像形成方法であって、
前記画像形成手段を用いて像担持体或いは転写材担持体上に位置検知用画像を形成する工程と、
前記像担持体或いは転写材担持体上に形成された第１の色の位置検知用画像と第２の色の位置検知用画像とのずれ量を色ずれとして検知する位置検知工程と、
前記位置検知工程での検知結果に応じて、前記画像処理手段により実行される画像処理を変更する変更工程と、
を有することを特徴とする画像形成方法。
【請求項２１】
請求項１１乃至２０のいずれか１項に記載の画像形成方法をコンピュータに実行させるプログラムを記憶したことを特徴とする、コンピュータにより読み取り可能な記憶媒体。
【手続補正２】
【補正対象書類名】明細書
【補正対象項目名】００１４
【補正方法】変更
【補正の内容】
【００１４】
本発明は上記従来例に鑑みてなされたもので、画像形成用の像担持体或いは転写材担持体上にレジ位置を調整するための画像を形成し、その形成された画像の位置を検出し、その検出したレジ位置のずれに応じて画像処理を変更することにより高品位の画像を形成できる画像形成方法及び装置を提供することを目的とする。
【手続補正３】
【補正対象書類名】明細書
【補正対象項目名】００１５
【補正方法】変更
【補正の内容】
【００１５】
【課題を解決するための手段】
上記目的を達成するために本発明の画像形成装置は以下のような構成を備える。即ち、
入力した画像信号に対して画像処理を実行する画像処理手段と、前記画像処理手段により処理された画像信号に基づいて転写材に画像を形成する画像形成手段とを備える画像形成装置であって、
前記画像形成手段を用いて像担持体或いは転写材担持体上に位置検知用画像を形成する手段と、
前記像担持体或いは転写材担持体上に形成された第１の色の位置検知用画像と第２の色の位置検知用画像とのずれ量を色ずれとして検知する位置検知手段と、
高品位な画像を形成すべく、前記ずれ量が所定値よりも小さい場合に前記画像処理手段により実行される画像処理を第１画像処理とし、前記ずれ量が前記所定値よりも大きい場合に前記画像処理手段により実行される画像処理を、前記第１画像処理に比べてずれ量の大きさが前記画像形成手段により形成される画像の劣化を助長しない第２画像処理に変更する変更手段と、
を有することを特徴とする。
【手続補正４】
【補正対象書類名】明細書
【補正対象項目名】００１６
【補正方法】変更
【補正の内容】
【００１６】
上記目的を達成するために本発明の画像形成方法は以下のような工程を備える。即ち、
入力した画像信号に対して画像処理を実行する画像処理手段と、前記画像処理手段により処理された画像信号に基づいて転写材に画像を形成する画像形成手段とを備える画像形成装置の画像形成方法であって、
前記画像形成手段を用いて像担持体或いは転写材担持体上に位置検知用画像を形成する工程と、
前記像担持体或いは転写材担持体上に形成された第１の色の位置検知用画像と第２の色の位置検知用画像とのずれ量を色ずれとして検知する位置検知工程と、
高品位な画像を形成すべく、前記ずれ量が所定値よりも小さい場合に前記画像処理手段により実行される画像処理を第１画像処理とし、前記ずれ量が前記所定値よりも大きい場合に前記画像処理手段により実行される画像処理を、前記第１画像処理に比べてずれ量の大きさが前記画像形成手段により形成される画像の劣化を助長しない第２画像処理に変更する変更工程と、
を有することを特徴とする。
【手続補正５】
【補正対象書類名】明細書
【補正対象項目名】０１３３
【補正方法】変更
【補正の内容】
【０１３３】
【発明の効果】
以上説明したように本発明によれば、画像形成用の像担持体或いは転写材担持体上にレジ位置を調整するための画像を形成し、その形成された画像の位置を検出し、その検出したレジ位置のずれに応じて画像処理を変更することにより高品位の画像を形成できるという効果がある。